(57)【要約】【課題】周辺に熱が分散され冷却機能を有する着信用振動モータを備えた携帯電話装置を提供する。【解決手段】携帯電話機に一般的に備えられた着信用振動モータ４５の軸上に冷却フィンを設け、電子部品４２が発熱したときに着信時以外でも振動モータ４５を動作させ、発熱する電子部品４２に振動を与えて熱を拡散し易くすると共に、冷却フィンを回転させて電子部品４２に送風を当てて冷却する。【選択図】　図５
2004072420.tif 000002
【特許請求の範囲】
【請求項１】
ハウジングを振動させて着信を知らせる着信用の振動モータを備えた携帯電話装置であって、
この携帯電話装置の筐体内部に設けた高温となる電子部品の近傍に前記着信用の振動モータを配置したことを特徴とする携帯電話装置。
【請求項２】
ハウジングを振動させて着信を知らせる着信用の振動モータを備えた携帯電話装置であって、
この携帯電話装置の筐体内部に設けた電子部品の温度上昇を検知するセンサを備え、
前記電子部品の温度が規定値以上に上昇した時に前記着信用の振動モータを振動させて電子部品に振動を付加することで、熱を周囲に拡散させるように構成したことを特徴とする携帯電話装置。
【請求項３】
ハウジングを振動させて着信を知らせる着信用の振動モータを備えた携帯電話装置であって、
規定以上の温度で変形する形状記憶合金で作られた金具を、前記携帯電話装置の筐体内部に設けた高温となる電子部品に取り付け、
規定温度以上に発熱した前記電子部品の熱で前記金具が変形した時に、この金具が前記着信用の振動モータと接触して前記振動モータの振動を伝えるように構成したことを特徴とする携帯電話装置。
【請求項４】
ハウジングを振動させて着信を知らせる着信用の振動モータを備えた携帯電話装置であって、
前記振動モータの前記ハウジングが略円筒形状又は略角筒形状に形成されているとともに、
この振動モータの先端に設けた振動発生用分銅と、
この携帯電話装置の筐体内部に設けた電子部品が発熱した時に振動モータを動作させて回転・送風により電子部品を冷却する前記分銅側に設けた冷却フィンと
を備えたことを特徴とする携帯電話装置。
【請求項５】
前記振動モータの先端を分銅と冷却フィンを兼ね備えた形状としたことを特徴とする請求項４に記載の携帯電話装置。
【請求項６】
前記振動モータに取付ける冷却フィンを振動モータの分銅が取付けられた位置とは反対側位置に設けたことを特徴とする請求項４に記載の携帯電話装置。
【請求項７】
冷却用フィンが取り付いた側の前記振動モータのハウジング形状を先細り形状としたことを特徴とする請求項４乃至６のいずれか１項に記載の携帯電話装置。
【請求項８】
前記振動モータを、発熱する電子部品の近傍で、かつ、携帯電話装置の使用時に前記発熱する電子部品よりも前記携帯電話装置の筐体内部の上部側に相当する位置に配置し、
前記冷却フィンの回転方向を、前記駆動モータに向けて空気を吸い込むような方向に回転させるように構成したことを特徴とする請求項４乃至７のいずれか１項に記載の携帯電話装置。
【請求項９】
前記振動モータを発熱する電子部品の近傍で、かつ、携帯電話装置の使用時に、前記携帯電話装置の筐体内部の下部に相当する位置に配置し、
前記振動モータ近傍で、かつ、携帯電話装置の前記筐体下部から空気が入る開口部を設け、
外気を吸入する吸入口とし、かつ、発熱部品に近傍で前記筐体内の下部とは逆の筐体内の上部に空気が通る開口部を設け、
前記発熱する電子部品からの空気が排気されるように構成したことを特徴とする請求項４乃至７のいずれか１項に記載の携帯電話装置。
【請求項１０】
ハウジングを振動させて着信を知らせる着信用の振動モータを備えた携帯電話装置であって、
前記振動モータの前記ハウジングは略円板形状に形成され、
前記モータ軸上にフィンを設けたことを特徴とする携帯電話装置。
【請求項１１】
発熱する電子部品面にフィンを相対するように設けたことを特徴とする請求項１０に記載の携帯電話装置。
【請求項１２】
ハウジングを振動させて着信を知らせる着信用の振動モータを備えた携帯電話装置であって、
前記振動モータの前記ハウジングは略円板形状に形成するとともに、
前記振動モータのハウジングを金属で形成し、
この振動モータのハウジング本体を発熱する電子部品面に取付けて熱伝導用部材として用いることを特徴とする携帯電話装置。
【請求項１３】
前記ハウジングの底面に熱伝導シートを貼付して前記電子部品の天面に取付けたことを特徴とする請求項１２に記載の携帯電話装置。
【請求項１４】
前記ハウジングに取付けて振動させる前記電子部品と前記ハウジングとの共振を防止するクッション材を、前記電子部品と前記ハウジングとの間に取付けるとともに、
前記共振防止用のクッション材に熱伝導クッションを用いたことを特徴とする請求項１２又は１３に記載の携帯電話装置。
【請求項１５】
温度上昇を検知できるセンサと内蔵タイマーとにより発熱部品の温度上昇速度を演算する回路を備えるとともに、
前記振動モータのモータ回転速度を変更できる回路を設け、
温度上昇速度に合わせて前記冷却ファンの回転速度を変更するように構成したことを特徴とする請求項４乃至１４のいずれか１項に記載の携帯電話装置。
【請求項１６】
携帯電話装置にカメラを備え、
ハウジング上部に熱せられた空気が排出される排気口を設け、
この排気口から排出された熱せられた空気がレンズ前方を横切らない位置に排気口を配置したことを特徴とする請求項１乃至１５のいずれか１項に記載の携帯電話装置。
【請求項１７】
携帯電話装置にカメラを備えるとともに、前記カメラを動作させるスライドスイッチを設け、
このスライドスイッチのスイッチ摘みをＯＮ側に動作させた時に吸入口と排気口が開き、スイッチ摘みをＯＦＦ側に動作した時に吸入口と排気口が閉じるように構成したことを特徴とする請求項１乃至１６のいずれか１項に記載の携帯電話装置。
【請求項１８】
携帯電話装置にカメラを備えるとともに、前記カメラでの撮影時にカメラレンズカバーをスライドさせて使用するスライドシャッタを有し、
前記シャッタを開放した時に排気口と吸気口が筐体表面に現れるように構成したことを特徴とする請求項１乃至１６のいずれか１項に記載の携帯電話装置。
【発明の詳細な説明】
【０００１】
【発明の属する技術分野】
本発明は、携帯電話装置に係り、特に着信用の振動モータを備えた携帯電話装置に関するものである。
【０００２】
【従来の技術】
近年、携帯電話機は市場の要求や製品の差別化のために高機能化多機能化が図られており、従来は通話機能だけであったものが、各種の機能が追加されてきている。例えば、携帯電話機本来の通話機能に加えて、データ通信機能により電子メールなどのテキストデータの伝送を初め、画像データの伝送や音楽データの伝送などが行われている。
【０００３】
携帯電話機に内蔵された表示装置には、各種データが表示されるようになっており、スピーカやイヤホンにて再生され視聴することができる。また、画像データなどは、データ通信にて外部から入手する以外に、携帯電話機本体にカメラを設け、カメラで撮影した画像をカラーにて表示部に動画再生したり、さらには内蔵メモリにて保存することができるなど、携帯電話機の高機能化が進んでいる。
【０００４】
しかしながら、このような携帯電話機の高機能化に伴い、携帯電話機に内蔵されたＣＰＵ（所謂、マイクロプロセッサー）への負担が増大し、処理能力の向上に伴ってＣＰＵや電源部品などの消費電流の増大と発熱による電子部品の劣化、という問題が発生している。
【０００５】
図１７〜図１９は、従来のカメラ付き携帯電話機の外観斜視図、断面図、回路構成図である。
カメラ付き携帯電話機には、図１７に示すように、表側（カバー側）の筐体部１０１、裏面側（ケース）の筐体部１０２、アンテナ１０３などが設けられており、この表側の筐体部１０１には受話部１０４、表示部１０５、キー操作部１０６及び送話部１０７などが設けられている。一方、裏面側の筐体部１０２にはカメラ部１０８、着信用スピーカ１０９及び電源１１０などが設けられている。
【０００６】
カメラ付き携帯電話機の内部には、図１８に示すように、基板１１１が設けられており、図１９に示すように、アンテナ１０３から送受信された電波を処理する無線回路１１２や携帯電話機本体を制御する制御回路１１３などが、各種の電子部品で構成されて実装されている。
【０００７】
このような携帯電話機では、受信された電波は、図１９に示すように、無線回路１１２を経由して制御回路１１３にて処理され、着信音を着信用スピーカ１０９にて鳴音させるか、または振動モータ１１４を動作させて使用者に知らせ、通話先の情報を表示部１０６に表示する。そこで、使用者は、通話するのであればキー操作部１０６を操作して通話を開始する。音声は受話部１０４により再生される一方、通話相手からの返答は送話部１０７により入力され、制御回路１１３にて処理され、無線回路１１２に介して電波に変換されてアンテナ１０３より通話相手に送信される。
【０００８】
また、カメラの操作については、カメラ部１０８で撮影された画像が制御回路１１３を経由して表示部１０５に表示される。使用者は表示した画像をキー操作部１０６にて操作することで、内蔵メモリ１１５に記憶するか、または携帯電話機のデータ通信機能を使用して制御回路１１３から無線回路１１２に出力され、電波に変換されてアンテナ１０３を通して通話相手に送信できる。
【０００９】
このように、カメラ付き携帯電話機も含めて従来の一般的な携帯電話機では、筐体の薄型小型化が図られており、筐体内部に組み込まれた電子部品は効率よく配置され高密度化されている。従って、一般に、この高密度化された電子部品間の隙間は狭く、また電子部品の高さや形状がバラバラであることが多い。
【００１０】
【発明が解決しようとする課題】
このように、通常、従来の携帯電話機にあっては、筐体内部に高密度な状態で高さや形状がバラバラな電子部品が配置されているが、空気の通りが悪くなるという欠点があった。もっとも、従来の一般的な携帯電話機では、電子部品の発熱量は微々たるもので発熱による電子部品の劣化ということは少なく、自然冷却にて冷却させることで電子部品への負荷が少なかった。
【００１１】
ところが、カメラ付き携帯電話機などのような高機能化された携帯電話機では、ＣＰＵへの負担が大きくなり、消費電力が増大することで発熱量が大きくなっている。このため、発生した熱が拡散しにくい傾向にあり、筐体内部に停滞すると、電子部品が冷却されることがなく、電子部品自身が発生する熱で電子部品を劣化させてしまう、という問題が発生している。
【００１２】
そこで、本発明は、上記した問題に鑑み、高温となった電子部品の周辺に熱を発散させて冷却することができる着信用振動モータ付き携帯電話装置を提供することを目的とするものである。
さらに、本発明は、専用冷却用ファンモータを追加しないで低コストで冷却機能を構成できることを特徴とする携帯電話装置を提供することを目的とするものである。
【００１３】
【課題を解決するための手段】
前記課題を解決するために、本発明の携帯電話装置は、ハウジングを振動させて着信を知らせる着信用の振動モータを備えた携帯電話装置であって、
この携帯電話装置の筐体内部に設けた高温となる電子部品の近傍に前記着信用の振動モータを配置したことを特徴としている。
【００１４】
本発明では、高温となる電子部品の冷却方法として、発熱体に振動を与えることで熱分子が発熱体より分離し易くなるという性質を利用しており、着信用の振動モータを高温となる電子部品の近傍に置くことで、電子部品に振動を加えることができ、電子部品の周辺に熱が分散され冷却することができる。
【００１５】
また、本発明の携帯電話装置は、ハウジングを振動させて着信を知らせる着信用の振動モータを備えた携帯電話装置であって、
この携帯電話装置の筐体内部に設けた電子部品の温度上昇を検知するセンサを備え、
前記電子部品の温度が規定値以上に上昇した時に前記着信用の振動モータを振動させて電子部品に振動を付加することで、熱を周囲に拡散させるように構成したことを特徴としている。
【００１６】
本発明では、高温となる電子部品の冷却方法として、発熱体に振動を与えることで熱分子が発熱体より分離し易くなるという性質を利用しており、着信用の振動モータを高温となる電子部品の近傍に置くことで、電子部品が高温となったことをセンサで検知すると、電子部品に振動を加えることができ、電子部品の周辺に熱が分散され冷却することができる。
【００１７】
また、本発明の携帯電話装置は、ハウジングを振動させて着信を知らせる着信用の振動モータを備えた携帯電話装置であって、
規定以上の温度で変形する形状記憶合金で作られた金具を、前記携帯電話装置の筐体内部に設けた高温となる電子部品に取り付け、
規定温度以上に発熱した前記電子部品の熱で前記金具が変形した時に、この金具が前記着信用の振動モータと接触して前記振動モータの振動を伝えるように構成したことを特徴としている。
【００１８】
この構成により、着信用の振動モータからの振動を電子部品に容易に伝えることができ、電子部品からの熱が拡散し易くなる。
【００１９】
また、本発明の携帯電話装置は、ハウジングを振動させて着信を知らせる着信用の振動モータを備えた携帯電話装置であって、
前記振動モータの前記ハウジングが略円筒形状又は略角筒形状に形成されているとともに、
この振動モータの先端に設けた振動発生用分銅と、
この携帯電話装置の筐体内部に設けた電子部品が発熱した時に振動モータを動作させて回転・送風により電子部品を冷却する前記分銅側に設けた冷却フィンと
を備えたことを特徴としている。
【００２０】
この構成により、別途冷却用ファンを設ける必要がなくコストアップを最小限に抑えることができ、さらには専用の冷却用ファンを設ける必要がないので筐体の小型化にも対応できる。
【００２１】
また、本発明の携帯電話装置は、前記振動モータの先端を分銅と冷却フィンを兼ね備えた形状としたことを特徴としている。
【００２２】
この構成により、振動モータの全長を短くすることができる。
【００２３】
また、本発明の携帯電話装置は、前記振動モータに取付ける冷却フィンを振動モータの分銅が取付けられた位置とは反対側位置に設けたことを特徴としている。
【００２４】
この構成により、分銅の首振り運動による動作半径を小さくできるので必要空間を狭めることができるとともに、分銅側が重くならないためバランスの取れた冷却ファン付き振動モータが提供できる。
【００２５】
また、本発明の携帯電話装置は、冷却用フィンが取り付いた側の前記振動モータのハウジング形状を先細り形状としたことを特徴としている。
【００２６】
この構成により、振動モータ周辺を通過する空気の流れをよくすることができ、その分冷却効率が高まる。
【００２７】
また、本発明の携帯電話装置は、前記振動モータを、発熱する電子部品の近傍で、かつ、携帯電話装置の使用時に前記発熱する電子部品よりも前記携帯電話装置の筐体内部の上部側に相当する位置に配置し、
前記冷却フィンの回転方向を、前記駆動モータに向けて空気を吸い込むような方向に回転させるように構成したことを特徴としている。
【００２８】
この構成により、熱を奪う方向に冷却フィンを回転させることで、電子部品を効率よく冷却することができる。
【００２９】
また、本発明の携帯電話装置は、前記振動モータを発熱する電子部品の近傍で、かつ、携帯電話装置の使用時に、前記携帯電話装置の筐体内部の下部に相当する位置に配置し、
前記振動モータ近傍で、かつ、携帯電話装置の前記筐体下部から空気が入る開口部を設け、
外気を吸入する吸入口とし、かつ、発熱部品に近傍で前記筐体内の下部とは逆の筐体内の上部に空気が通る開口部を設け、
前記発熱する電子部品からの空気が排気されるように構成したことを特徴としている。
【００３０】
この構成により、効率よく空気を吸入し温度の低い風を直接電子部品に送風して電子部品に当てることができるようになるとともに、冷却後に暖められて軽くなった空気を流れを上部に効率よく向けることができるようになる。
【００３１】
また、本発明の携帯電話装置は、ハウジングを振動させて着信を知らせる着信用の振動モータを備えた携帯電話装置であって、
前記振動モータの前記ハウジングは略円板形状に形成され、
前記モータ軸上にフィンを設けたことを特徴としている。
【００３２】
この構成により、振動モータの軸に冷却用フィン（羽）を設けたので、高温となった電子部品に直接または間接的に送風することができ、電子部品周辺に空気を流動させることで高温となった電子部品の熱を拡散・冷却することができる。
【００３３】
また、本発明の携帯電話装置は、発熱する電子部品面にフィンを相対するように設けたことを特徴としている。
【００３４】
この構成により、電子部品に近くから直接送風することで、電子部品を冷却する冷却機能を高めることができる。
【００３５】
また、本発明の携帯電話装置は、ハウジングを振動させて着信を知らせる着信用の振動モータを備えた携帯電話装置であって、
前記振動モータの前記ハウジングは略円板形状に形成するとともに、
前記振動モータのハウジングを金属で形成し、
この振動モータのハウジング本体を発熱する電子部品面に取付けて熱伝導用部材として用いることを特徴としている。
【００３６】
この構成により、振動モータ自体を熱伝導経路として使用でき、電子部品の熱を直接伝導させて外部へ放出させるという冷却機能を、振動による冷却効果の他に付与することができるようになる。
【００３７】
また、本発明の携帯電話装置は、前記ハウジングの底面に熱伝導シートを貼付して前記電子部品の天面に取付けたことを特徴としている。
【００３８】
この構成により、同様に、振動モータ自体を熱伝導経路として使用でき、電子部品の熱を直接伝導させて外部へ放出させることができる。
【００３９】
また、本発明の携帯電話装置は、前記ハウジングに取付けて振動させる前記電子部品と前記ハウジングとの共振を防止するクッション材を、前記電子部品と前記ハウジングとの間に取付けるとともに、
前記共振防止用のクッション材に熱伝導クッションを用いたことを特徴としている。
【００４０】
この構成により、不要な共振現象の発生を阻止することができるのと同時に振動モータ自体を熱伝導経路として使用でき、電子部品の熱を直接伝導させて外部へ放出させるという冷却機能を、振動による冷却効果の他に付与することができるようになる。
【００４１】
また、本発明の携帯電話装置は、温度上昇を検知できるセンサと内蔵タイマーとにより発熱部品の温度上昇速度を演算する回路を備えるとともに、
前記振動モータのモータ回転速度を変更できる回路を設け、
温度上昇速度に合わせて前記冷却ファンの回転速度を変更するように構成したことを特徴としている。
【００４２】
この構成により、温度上昇率が大きい時には早く冷却フィンを回転させて強く冷却させることができるようになる。
【００４３】
また、本発明の携帯電話装置は、携帯電話装置にカメラを備え、
ハウジング上部に熱せられた空気が排出される排気口を設け、
この排気口から排出された熱せられた空気がレンズ前方を横切らない位置に排気口を配置したことを特徴としている。
【００４４】
この構成により、排気口から排出された温風がカメラレンズの前を横切り表示部に表示された画像が温風で揺らぐことを防止することができる。
【００４５】
また、本発明の携帯電話装置は、携帯電話装置にカメラを備えるとともに、前記カメラを動作させるスライドスイッチを設け、
このスライドスイッチのスイッチ摘みをＯＮ側に動作させた時に吸入口と排気口が開き、スイッチ摘みをＯＦＦ側に動作した時に吸入口と排気口が閉じるように構成したことを特徴としている。
【００４６】
この構成により、普段使用しない時には、吸気口や排気口からのゴミ、埃、水などの侵入を防止できるようになる。
【００４７】
また、本発明の携帯電話装置は、携帯電話装置にカメラを備えるとともに、前記カメラでの撮影時にカメラレンズカバーをスライドさせて使用するスライドシャッタを有し、
前記シャッタを開放した時に排気口と吸気口が筐体表面に現れるように構成したことを特徴としている。
【００４８】
この構成により、同様に、普段使用しない時には、吸気口や排気口からのゴミ、埃、水などの侵入を防止できるようになる。
【００４９】
【発明の実施の形態】
以下、本発明の実施の形態について、添付図面を参照しながら詳細に説明する。
［第１の実施の形態］
図１はカメラ付き携帯電話機の外観図を示す。図２はカメラ付き携帯電話機を裏面から見た外観断面図である。図３はカメラ付き携帯電話機における電気的構成を示すブロック図である。
【００５０】
図１乃至図３は、この発明の第１の実施の形態に係るカメラ付き携帯電話機を示すものであり、このカメラ付き携帯電話機は、筐体１の表面を構成する表側（カバー）筐体２に、受話部２１、表示部２２、カメラスイッチを含むキー操作部２３、送話部２４が配置されているとともに、裏面を構成する裏側（カバー）筐体３に、カメラ部３１、スピーカ部（スピーカ音孔）３２、電源３３が配設されている。なお、図中符号１１は、アンテナを示すものである。
【００５１】
また、この筐体１内部には、プリント基板４が設けられており、このプリント基板４上には、無線回路４１、ＣＰＵ（Ｃｅｎｔｒａｌ　Ｐｒｏｃｅｓｓｉｎｇ　Ｕｎｉｔ）４２を備えた制御回路４６、高温となる電子部品の温度上昇を検知する温度センサ４３、カメラ画像を記憶できるメモリ４４、着信用振動モータ４５などが実装されている。
【００５２】
表示部２２には、カメラ部３１で撮影された画像が表示されるが、内蔵された制御回路４６のＣＰＵ４２が高速演算処理を行うことで撮影された画像を表示部２２に映し出すようになっている。
【００５３】
カメラ部３１は、制御回路４６によって制御されており、キー操作部２３に配置されたカメラ撮影ボタンを押すことで、撮影画像を取り込んで表示部２２に表示するようになっている。
【００５４】
メモリ４４は、携帯電話機での撮影画像を必要に応じて表示部２２に表示させたりするため、記憶させるようになっている。
【００５５】
次に、本発明の第１の実施の形態に係る携帯電話機での冷却動作原理について説明する。
通常、例えば連続して静止画を表示したり、或いは動画像を表示させると、制御回路４２のＣＰＵ４２に負荷が掛かり、ＣＰＵ４２での消費電流が増大する。これにより、ＣＰＵ４２や電源ＩＣなどから発熱する。
【００５６】
一方、携帯電話機の筐体１内部には、一般的に、各種の電子部品が高密度実装されて多くの部品が存在しており、空気の流れを阻害している。このように携帯電話機の筐体１内部では、空気の流通が少ないため、発熱したＣＰＵ４２での熱がＣＰＵ４２自身に停滞する傾向が強い。
【００５７】
ところで、この発熱する物体から熱を取り除く方法として、発熱体に振動を加えることで、発熱体からの熱分子が拡散されるという現象が知られている。
そこで、本発明の第１の実施の形態では、この現象を利用するために、携帯電話機に備え付けられた着信用振動モータ４５に着目し、ＣＰＵ４２が規定温度より上昇したことを検知できる温度センサ４３を設けており、規定温度以上にＣＰＵ４２が温度上昇した時に、着信時以外にも着信用振動モータ４５を動作させてＣＰＵ４２に振動を加え、これによって熱分子を拡散させＣＰＵ４２の温度を下げるように構成されている。
【００５８】
さらに冷却効果は、発熱体に加わる振動が大きいほど効果があるため、着信用振動モータを発熱するＣＰＵ４２の近傍に置くことで、さらに強い振動が加わりＣＰＵ４２から熱分子を拡散し易くなるように構成されている。
【００５９】
［第２の実施の形態］
以下、この発明の第２の実施形態について、図４を参照しながら説明する。なお、この実施形態において、第１の実施形態と同一部分には同一符号を付して重複説明を避ける。
図４は、第２の実施の形態に係るカメラ付き携帯電話を背面側から見たときの破断斜視図であり、この実施形態では、筐体１内部に設けたプリント基板４に実装されているＣＰＵ４２には規定温度以上になった時に変形する形状記憶合金で形成された熱伝導及び振動伝達用の金具４２Ａを一体に設けた構成となっている。
【００６０】
このＣＰＵ４２は、発熱すると金具４２Ａに熱伝導し、この金具４２Ａが熱膨張により変形して振動モータ４５と接触・当接する。その結果、この金具４２Ａは、接合した振動モータ４５からの振動が直接ＣＰＵ４２に伝わるので、ＣＰＵ４２自身も振動する。これにより、第１の実施形態で説明したのと同様の原理により、ＣＰＵ４２に発生する熱を拡散し易くなる。
【００６１】
なお、この実施の形態では、振動モータ４５とＣＰＵ４２とを金具４２Ａにより分離することができ、ＣＰＵ４２は、普段、発熱しない状態のときには、不要に振動させないので、振動強度の分散を防止できるという効果も得ることができる。
【００６２】
［第３の実施の形態］
以下、この発明の第３の実施形態について、図５を参照しながら説明する。なお、この実施形態において、第１の実施形態と同一部分には同一符号を付して重複説明を避ける。
図５は第３の実施形態に係るカメラ付き携帯電話機を背面側から見たときの破断斜視図であり、図６はこのカメラ付き携帯電話機に内蔵する円筒型着信用振動モータ４５の拡大図を示すものである。
【００６３】
この実施形態のカメラ付き携帯電話機では、図６に示すように、筐体１内部に円筒型着信用振動モータ４５を備えており、この円筒型着信用振動モータ４５の先端にはフライホイール的な機能を付与して振動を発生させる分銅４５Ａと冷却用フィン４５Ｂが設けられている。
【００６４】
円筒型着信用振動モータ４５は、前述したように、分銅４５Ａの先端に冷却用の風を発生させる冷却フィン（羽）４５Ｂを設けており、発熱部品であるＣＰＵ４２の近傍に置いて、直接または間接的に風を当てることでＣＰＵ４２を冷却させるようになっている。
【００６５】
特に、この冷却フィン付き着信用振動モータ４５は、筐体１を通常使用するときの状態である起立させたときに、ＣＰＵ４２の下方に配置することで、着信用振動モータ４５の周辺または下方からの冷えた空気をＣＰＵ４２に供給させて冷却するとともに、熱せられて軽くなった空気が容易に上昇できるように下方から風を送るようにすることで、筐体１内部の空気が流れやすくなるように構成されている。
【００６６】
なお、この第３の実施の形態に係る携帯電話機では、筐体１の下部に配置された冷却フィン付き着信用振動モータ４５周辺から筐体１の図示外の隙間を通じて外気が補給され、筐体１内の空気を循環または筐体１隙間から排出させるだけでも冷却できるが、図５に示すように、さらに外気を取り入れるための吸気口１Ａ及び熱くなった空気を排気するための排気口１Ｂを設けてもよい。
このように構成することで、筐体１内部での冷却効果をより増すことができる。
【００６７】
また、この第３の実施の形態において、例えば、図７に示すように、振動モータ４５に備えられた分銅４５Ａ自体にフィン４５Ｂを設けるようにしてもよい。このように構成することで、振動モータ４５の長手方向を短くすることができる。
【００６８】
なお、この図７に示す振動モータ４５では、分銅４５Ａの外側にフィン４５Ｂが設けてあるので、このフィン４５Ｂを回転させた時にフィン４５Ｂがない状態よりも首振り動作時の回転半径が大きくなり、その分、筐体１内部の空間が大きく必要となる。
【００６９】
そこで、図８に示すように、振動モータ４５での首振りに必要な空間をできるだけ少なくするために、換言すれば、筐体１の厚さをできるだけ薄くするために、振動モータ４５で分銅４５Ａが取付けられる位置とは反対の軸に冷却用フィン４５Ｂを取付けるようにしてもよい。これにより、分銅の首振りのために空間を大きくとる必要が無くなるのと同時に、分銅４５Ａへの重量の偏りが少なくでき、バランスの取れた構成とすることができる。
【００７０】
また、この発明に係る携帯電話装置の振動モータについては、例えば図９に示すように、振動モータ４５の冷却フィン４５Ｂが取付けられた側の振動モータ４５の筐体を、先細り形状とするように形成してもよい。このように形成することで、振動モータ４５周辺を通過する空気の流れをよくすることができ、その分冷却効率が高まるという効果を得ることができる。
【００７１】
［第４の実施の形態］
以下、この発明の第４の実施形態について、図１０を参照しながら説明する。なお、この実施形態において、第１の実施形態と同一部分には同一符号を付して重複説明を避ける。
図１０は第４の実施形態に係るカメラ付き携帯電話機を背面側から見たときの破断斜視図であり、この実施形態のカメラ付き携帯電話機では、振動モータ４５は、部品配置の制約により、筐体１を起立させて携帯電話機として使用する状態の時に、ＣＰＵ４２の上方となる位置に配置されている。
【００７２】
このように、振動モータ４５をＣＰＵ４２の上方に配置した場合、熱せられて軽くなった空気は振動モータ４５側に上昇してくるが、そのままこの振動モータ４５を回転させると上昇気流を押し戻すことになり、空気の流れがスムーズにいかなくなることがある。
【００７３】
そこで、この実施の形態では、これを解決するために、振動モータ４５の回転方向を空気が振動モータの後ろ側、即ち、筐体１上方側に向けて流れるように、流れる方向を逆向きにした構成となっている。なお、振動モータ４５の回転方向は、モータ用の駆動回路により制御でき、簡単に実現できるように構成されている。
【００７４】
さらにＣＰＵ４２の近傍に設けるＣＰＵ４２の温度上昇を検知する温度センサ４３は、ＣＰＵ４２が実装されたプリント基板４の実装面とは逆の裏面に配置することで、送風の影響が少ない上に確実にＣＰＵ４２の温度上昇を検知できるようになっており、送風による温度誤差の影響が少ない正確な温度検知ができるという効果がある。
【００７５】
［第５の実施の形態］
以下、この発明の第５の実施形態について、図１１を参照しながら説明する。なお、この実施形態において、第１の実施形態と同一部分には同一符号を付して重複説明を避ける。
図１１は第５の実施形態に係るカメラ付き携帯電話機を背面側から見たときの破断斜視図であり、この実施形態のカメラ付き携帯電話機では、振動モータ４５が円板型振動モータで構成されており、この振動モータ４５の軸上に冷却用フィン４５Ｂを取付けたものである。また、この実施の形態では、振動モータ４５の筐体材料を金属又は熱を効率よく伝導できる部材で形成し、ＣＰＵ４２の天面に取付けるように構成されている。
【００７６】
このように、ＣＰＵ４２上にモータ４５を取付けてＣＰＵ４２から発生する熱を直接排気口１Ｄより外部に排出することで、効率よく冷却できるとともに、振動モータ４５の筐体材料を金属又は熱を効率よく伝導できる部材で形成することで、さらに効率よく熱をＣＰＵ４２本体から拡散できるという効果を得る。
【００７７】
しかも、ＣＰＵ４２自体の温度が規定値以下で振動モータ４５が動作していない状態においては、ＣＰＵ４２からの熱を振動モータ４５の筐体へ熱伝導させることにより、筐体１外部により近づけることができるので、温度上昇が遅くなるという効果を得ることができる。
【００７８】
［第６の実施の形態］
以下、この発明の第６の実施形態について、図１２を参照しながら説明する。なお、この実施形態において、第１、第５の実施形態と同一部分には同一符号を付して重複説明を避ける。
図１２は第６の実施形態に係るカメラ付き携帯電話機を背面側から見たときの破断斜視図であり、この実施形態のカメラ付き携帯電話機では、振動モータ４５に設けた冷却フィン４５Ｂが、第５の実施形態とは逆に、ＣＰＵ４２側に向けた状態で配置された構成となっている。
【００７９】
即ち、この振動モータ４５は、筐体１の内面側に固定させることにより、この振動モータ４５の軸上に取付けた冷却用フィン４５ＢがＣＰＵ４２側に向けた配置となっている。
【００８０】
従って、この実施形態では、ＣＰＵ４２から発生するジュール熱などを温度センサ４３が検知し、冷却用送風をＣＰＵ４２に直接当てることでＣＰＵ４２を冷却することができる。
【００８１】
また、熱せられた空気を冷却機能付き振動モータ４５により排気口１Ｅから外部に排気する場合、熱せられた空気がカメラ部３１のレンズ面を通過すると、揺らいだ空気の影響で撮影する映像も揺らぐという悪影響を生じる虞がある。
そこで、この実施形態のカメラ付き携帯電話機では、排気口１Ｅを、カメラ部３１側から離した位置に設けることで、映像に悪影響を与えることが回避できるので、より良好な映像を撮影できる、という効果を得ることができる。
【００８２】
［第７の実施の形態］
以下、この発明の第７の実施形態について、図１３を参照しながら説明する。なお、この実施形態において、第１の実施形態と同一部分には同一符号を付して重複説明を避ける。
図１３は第７の実施形態に係るカメラ付き携帯電話機を背面側から見たときの破断斜視図であり、この実施形態のカメラ付き携帯電話機では、熱伝導性の良好な防震ゴム４７を介して振動モータ４５をＣＰＵ４２に取付けている。
【００８３】
即ち、このＣＰＵ４２と振動モータ４５ともに剛体であるために、例えばＣＰＵ４２に直接振動モータ４５を取付けると、密着性が悪い場合があり、振動モータ４５へジュール熱などを効率よく伝導することができないことがある。
【００８４】
これを防止するために、振動モータ４５とＣＰＵ４２との間に熱伝導シートを挟み込むことで各部品を密着させることができ、熱を効率よく伝導できるようになるが、その一方で振動モータ４５の取り付け状態によっては、ＣＰＵ４２との間で共振を発生する場合がある。
【００８５】
そこで、この実施形態では、この密着性の向上及び共振の防止手段として、振動モータ４５に防震ゴム４７が取付けられているものである。
この防震ゴム４７を熱伝導クッション材にすることで、発生した熱をより効率よく冷却用振動モータ４５に伝えることができる、という効果を得ることができるとともに、さらに、部品をひとつにまとめることでコストアップを抑えることもできる。なお、この密着性の向上及び共振の防止手段として、この実施形態の防振ゴム以外に、例えばシリコングリスなどの熱伝導材を用いてもよい。
【００８６】
［第８の実施の形態］
以下、この発明の第８の実施形態について、図１４を参照しながら説明する。なお、この実施形態において、第１の実施形態と同一部分には同一符号を付して重複説明を避ける。
図１４は第８の実施形態に係るカメラ付き携帯電話機を背面側から見たときの破断斜視図であり、この実施形態のカメラ付き携帯電話機では、筐体１を起立させて携帯電話機を使用するときの状態において、筐体１の底面ではなくカメラ動作スイッチ２３Ａを取付けてある側面側に吸気口１Ｆを設けるとともに、この吸気口１Ｆのみに防塵シート４８を取付けた構成となっている。一方、排気口１Ｇは、これまでの実施形態と同様に、筐体１の裏面側に設けている。
【００８７】
ところで、筐体１内を効率よく冷却するには、吸気口１Ｆ及び排気口１Ｇを開放するとよい。しかしながら、この吸気口１Ｆ及び排気口１Ｇを常に開放すると、ゴミ、埃、水などが侵入してしまい、筐体１に内蔵する電子部品の誤作動や腐食の原因となる。
【００８８】
そこで、この実施形態では、カメラ動作時のみ吸気口１Ｆ及び排気口１Ｇを開くことができるようにするため、カメラ動作スイッチ２３Ａをスライドスイッチとしている。
即ち、このカメラ動作スイッチ２３Ａには、略Ｆ字型のシャッタ板２３Ｂを設けており、このシャッタ板２３Ｂには、カメラ動作スイッチ２３Ａの摘みをＯＮ側に動作させたときに吸気口１Ｆに臨む位置に開口部を設け、ここに前述の防塵シート４８を取付けている。
【００８９】
従って、カメラ動作スイッチ２３Ａの摘みをＯＮ側に動作させたときには、シャッタ板２３Ｂも同方向に移動して吸気口１Ｆ及び排気口１Ｇが開くようになっている。一方、カメラ動作スイッチ２３Ａの摘みを逆方向に移動してＯＦＦ側に動作させたときには、シャッタ板２３Ｂも同方向に移動して吸気口１Ｆ及び排気口１Ｇを閉じるので、未使用時のゴミや埃、水の侵入を防止できるようなっている。
【００９０】
なお、この実施形態では、吸気口１Ｆのみに防塵シート４８を取付けることで、吸気口１Ｆと排気口１Ｇとの空気の出入り圧に差を設けるように構成しており、排気口１Ｇの方から空気が出やすいようになっている。
【００９１】
［第９の実施の形態］
以下、この発明の第９の実施形態について、図１５を参照しながら説明する。なお、この実施形態において、第１の実施形態と同一部分には同一符号を付して重複説明を避ける。
図１５は第９の実施形態に係るカメラ付き携帯電話機を背面側から見たときの破断斜視図であり、この実施形態のカメラ付き携帯電話機では、カメラ部３１と排気口１Ｈとを開閉できるシャッタ５を設けているとともに、このシャッタ５には、第８の実施の形態におけるシャッタ板２３Ｂと略同様の構成のシャッタ板５１を一体に設けている。
【００９２】
従って、カメラ撮影時には、シャッタ５を開放することで、カメラ部３１が筐体１の外表面に露出するとともに、吸気口１Ｆ及び排気口１Ｈが開放されて外気と通気状態になる。これにより、カメラ使用時にのみ熱せられた空気を筐体１の外部へ排気できるので、カメラの非使用時に吸気口１Ｆ及び排気口１Ｈが不要に開放され、これらからゴミ、埃、水などが侵入するのを防止できるという効果を得ることができる。
【００９３】
［第１０の実施の形態］
以下、この発明の第１０の実施形態について、図１６を参照しながら説明する。なお、この実施形態において、第１の実施形態と同一部分には同一符号を付して重複説明を避ける。
図１６は第１０の実施形態に係るカメラ付き携帯電話機の電気的構成を示すブロック図であり、この実施形態のカメラ付き携帯電話機では、カメラ部３１、無線部４１、温度センサ４３、制御回路４６、着信用振動モータ４５、振動モータの回転速度を変更できるモータ制御回路４９などを備えている。
【００９４】
制御回路４６には、内蔵タイマー４６Ａが内蔵されており、発熱を検知する温度センサ４３からの検出信号により、発熱部品の温度上昇速度を算出するように構成とされている。そして、急激な温度上昇の場合には、モータ制御回路４９に制御信号を出力し、振動モータ４５の回転数を増加させて冷却を強くする一方、発熱部品の温度上昇がゆるやかな場合には、振動モータ４５の回転数を少なくするように制御することで、振動モータ４５を効率よく運転できるという効果を得ることができる。
【００９５】
【発明の効果】
以上に説明したように、本発明によれば、携帯電話機に一般的に備えられた着信用振動モータを利用し、この振動モータの回転軸に冷却フィンを設け、この冷却フィンを回転させることで携帯電話における発熱部品の冷却を効率的に行うことができるものである。
【００９６】
さらに、本発明によれば、専用の冷却ファンを設ける必要がないので、コストアップを少なくできると共に、余分な空間を使うことが極力抑えられているので、筐体を大きくする必要がないという効果も得られる。
【図面の簡単な説明】
【図１】本発明の第１の実施の形態に係るカメラ付き携帯電話機の表面側外観を示す斜視図である。
【図２】本発明の第１の実施の形態に係るカメラ付き携帯電話機の裏面（背面）側の一部破断斜視図である。
【図３】本発明の第１の実施の形態に係るカメラ付き携帯電話機の電気的構成を示す回路ブロック図である。
【図４】本発明の第２の実施の形態に係るカメラ付き携帯電話機の裏面（背面）側の一部破断斜視図である。
【図５】本発明の第３の実施の形態に係るカメラ付き携帯電話機の裏面（背面）側の一部破断斜視図である。
【図６】本発明の第３の実施の形態に係るカメラ付き携帯電話機に備えた冷却フィン付着信用振動モータを示す外観斜視図である。
【図７】本発明の第３の実施の形態に係るカメラ付き携帯電話機に備えた冷却フィン付着信用振動モータの変形例を示す外観斜視図である。
【図８】本発明の第３の実施の形態に係るカメラ付き携帯電話機に備えた冷却フィン付着信用振動モータの他の変形例を示す外観斜視図である。
【図９】本発明の第３の実施の形態に係るカメラ付き携帯電話機に備えた冷却フィン付着信用振動モータのさらに他の変形例を示す外観斜視図である。
【図１０】本発明の第４の実施の形態に係るカメラ付き携帯電話機の裏面（背面）側の一部破断斜視図である。
【図１１】本発明の第５の実施の形態に係るカメラ付き携帯電話機の裏面（背面）側の一部破断斜視図である。
【図１２】本発明の第６の実施の形態に係るカメラ付き携帯電話機の裏面（背面）側の一部破断斜視図である。
【図１３】本発明の第７の実施の形態に係るカメラ付き携帯電話機の裏面（背面）側の一部破断斜視図である。
【図１４】本発明の第８の実施の形態に係るカメラ付き携帯電話機の裏面（背面）側の一部破断斜視図である。
【図１５】本発明の第９の実施の形態に係るカメラ付き携帯電話機の裏面（背面）側の一部破断斜視図である。
【図１６】本発明の第１０の実施の形態に係るカメラ付き携帯電話機の電気的構成を示す回路ブロック図である。
【図１７】従来の携帯電話機の表面側外観を示す斜視図である。
【図１８】従来の携帯電話機の裏面側の一部破断斜視図である。
【図１９】従来の携帯電話機の電気的構成を回路ブロック図である。
【符号の説明】
１　　　　筐体
１Ａ、１Ｆ
吸気口
１Ｂ、１Ｅ、１Ｇ、１Ｈ
排気口
１１　　　アンテナ
２　　　　表側（カバー）筐体
２１　　　受話部
２２　　　表示部
２３　　　キー操作部
２３Ａ　　カメラ動作スイッチ
２３Ｂ　　シャッタ板
２４　　　送話部
３　　　　裏側（カバー）筐体
３１　　　カメラ部
３２　　　スピーカ部（スピーカ音孔）
３３　　　電源
４　　　　プリント基板
４１　　　無線回路
４２　　　ＣＰＵ（発熱する電子部品）
４２Ａ　　（熱伝導及び振動伝達用）金具
４３　　　温度センサ
４４　　　メモリ
４５　　　着信用振動モータ
４５Ａ　　分銅
４５Ｂ　　冷却用フィン
４６　　　制御回路
４７　　　防震ゴム
４８　　　防塵シート
４９　　　モータ制御回路
５　　　　シャッタ
５１　　　シャッタ板
【図１】
2004072420.tif 000003
【図２】
2004072420.tif 000004
【図３】
2004072420.tif 000005
【図４】
2004072420.tif 000006
【図５】
2004072420.tif 000007
【図６】
2004072420.tif 000008
【図７】
2004072420.tif 000009
【図８】
2004072420.tif 000010
【図９】
2004072420.tif 000011
【図１０】
2004072420.tif 000012
【図１１】
2004072420.tif 000013
【図１２】
2004072420.tif 000014
【図１３】
2004072420.tif 000015
【図１４】
2004072420.tif 000016
【図１５】
2004072420.tif 000017
【図１６】
2004072420.tif 000018
【図１７】
2004072420.tif 000019
【図１８】
2004072420.tif 000020
【図１９】
2004072420.tif 000021